(57)【要約】【課題】軸受の軸穴に対して応力を加えたときの経年変化による駆動モータの回転軸に対する保持力低下を抑制する軸受を提供する。【解決手段】三角穴軸受１は、パチンコ遊技機の球払出装置２２に備えられた正逆回転可能なステッピングモータ２０の回転軸２１に取り付けられ、略三角形の軸穴４は、円筒形状の軸受基部９、軸受基部９から前方に六角形状に突設された嵌合取付部１０、嵌合取付部１０の前端１１から軸受基部９の後端１２にかけて貫通するように形成され、内周面５の三角形の頂点には角面６が設けられ丸くなっており、三角穴軸受１を球払出装置２２のステッピングモータ２０の回転軸２１に挿着、固定する。【選択図】図３
2004242915.tif 000002
【特許請求の範囲】
【請求項１】
回転軸を有する駆動装置と、該回転軸の駆動を被駆動装置に伝達する、遊技機の軸受において、
軸受本体部が、
前記被駆動装置に取付ける取付部と、
前記回転軸を圧入し固定する軸穴と、
該軸穴を画定する内周面と、を備え、
該内周面が前記軸穴の軸方向に対して直交する断面において多角形を成し、
前記多角形の角面を除く内周面が前記回転軸の外周面に接することを特徴とする遊技機の多角穴軸受。
【請求項２】
前記内周面の各角面を丸く形成することを特徴とする請求項１の遊技機の多角穴軸受。
【請求項３】
前記多角形を三角形とする請求項１又は２の遊技機の多角穴軸受。
【請求項４】
賞媒体の払出し信号に応答して遊技媒体を払い出す払出装置の駆動モータの回転軸に固定される請求項１乃至３の遊技機の多角穴軸受。
【発明の詳細な説明】
【０００１】
【発明の属する技術分野】
本発明は、パチンコ遊技機の貸玉あるいは賞球等の賞媒体を払い出す球払出装置等に固定される、遊技機の軸受に関する。
【０００２】
【従来の技術】
パチンコ遊技機の球払出装置は、パチンコ遊技機の上部に補給されているパチンコ球を流下させる球供給通路の下流側に設け、球供給通路から流下したパチンコ球を貸球通路と賞球通路とに分岐して球受皿に流下させる装置である。球払出装置は、球供給通路から貸球通路と賞球通路に分岐する分岐点に正逆両方に回転するモータを設け、モータの回転軸に、軸受を介して球払出ロータを取り付け、この球払出ロータが上流側から流下するパチンコ球を下流側に分配するようになっている。
【０００３】
この従来の一般的な球払出装置では、流下するパチンコ球の荷重が払出ロータに加わるために、流下するパチンコ球の衝撃でモータ自体が共振を起こしたり、払出ロータを駆動するモータがパチンコ球の荷重でトルク不足を発生して動作が不安定になることがある。このような駆動モータの共振現象やトルク不足を解消するための技術は既に提案されている。例えば、特開２０００−１１６８９７に示す通り、パチンコ遊技機における球払出装置は、払出ロータの回転軸に大径歯車を取り付けたものである。この大径歯車をモータで駆動することで、モータの共振領域を避けて安定して回転させることができるとともに、払出ロータの回転トルクが十分に得られてトルク不足による球噛み等の発生が防止され、常にスムースに作動させることができる。
前記の装置においては、払出ロータを駆動モータに取り付ける軸受の圧入穴が駆動モータの回転丸軸と同様の丸穴となっており、軸受に回転丸軸を圧入し、駆動モータで回転軸を回転させる構成である。
【０００４】
【発明が解決しようとする課題】
しかしながら、当初は、保持力が高いものの、回転軸から軸受の内周面の全周に応力が加わったり、軽量化のため樹脂材料を採用するときもあるので、軸受の形状がいびつになったり、ガタツキが生じたり、軸受が破壊したりする等の経年変化によって、駆動モータの回転軸に対する軸受の保持力が低下するといった課題が考えられた。
【０００５】
本発明は、従来の技術の有する問題点に鑑みなされたものであり、その目的とするところは、上述の問題を解決できるものを提供するものである。
【０００６】
【課題を解決するための手段及び効果】
請求項１の軸受は、回転軸を有する駆動装置と、該回転軸の駆動を被駆動装置に伝達する、遊技機の軸受において、軸受本体部が、前記被駆動装置に取付ける取付部と、前記回転軸を圧入し固定する軸穴と、該軸穴を画定する内周面と、を備え、該内周面が前記軸穴の軸方向に対して直交する断面において多角形を成し、前記多角形の角面を除く内周面が前記回転軸の外周面に接することを特徴とする遊技機の多角穴軸受である。
請求項１記載の軸受によれば、回転軸から軸受に加わる応力が角面に分散されて経年変化に強くなり保持力が維持できることから、前記課題が好適に解決される。また、軸受の角部を除く内周面が回転軸を支持することで、従来に劣らない回転の正確性が得られる。
【０００７】
回転軸は丸軸以外でもよいが、多角形状孔との関係で丸軸が好ましい。軸線方向に対して線状接触（断面からみると点状接触）であり接触する内周面が回転軸の接線方向であることが好ましい。多角穴軸受は払出し装置、始動口、権利発生口等に用いることが可能である。軸穴は貫通孔でもよいし、一端部が開口し、他端部が閉じた穴でもよい。多角形は正多角形が好ましい。
【０００８】
前記内周面を形成する多角形の角数が少ない場合は、各角面を丸くすることが好ましい。これにより、内周面に加わる応力を分散させ、保持力低下などの経年変化に強くなる効果を発揮する。
【０００９】
前記多角形を三角形とすることが好ましい。これにより前記課題が好適に解決できる上、内周面の断面を三角形としたことによって、コンパクトな構成にでき、製造しやすくコストが削減できるという利点がある。軸受に加わる応力を角部に分散させて軸受の負担を小さくする効果がある。
【００１０】
賞媒体の払出し信号に応答して遊技媒体を払い出す払出装置の駆動モータの回転軸に固定されることが好ましい。これにより前記課題が好適に解決できる上、パチンコ遊技機の球払出装置の耐久性が向上する効果が得られる。
【００１１】
【発明の実施の形態】
以下、本発明の遊技機の多角穴軸受の一実施形態である三角孔付の軸受１（以下、単に三角穴軸受１という）について、図１〜図３を参照して説明する。三角穴軸受１は、軸受本体部２を備え、この軸受本体部２は、そのの中心を貫通し、回転軸２１（図４参照）が圧入固定される軸穴４と、軸穴４を画定する内周面５と、を有している。この内周面５が回転軸２１の軸方向に対して直交する断面において概ね正三角形（おむすび形状）を成し、内周面５の各角面６を丸く形成してある。内周面５のうち、丸く形成された角面６を除く内周面７は断面視で線状面であり、回転軸２１の接線方向に位置している。この内周面７の中間部において、線状の接触面８で回転軸２１を支持している（図４参照）。即ち、回転軸２１の軸線方向に沿って複数個所（実施例では３）の接触面８において線状に接している（断面視では点状支持となる）。つまり、角面６と、接触面８を除く内周面７は、回転軸２１の外周面とは非接触状態である。
【００１２】
軸受本体部２は、図３に示す通り、円筒形状の軸受基部９、軸受基部９から前方に縮径した状態で多角形状（ここでは六角形状）に突設された嵌合取付部１０が樹脂で一体形成されたものである。おむすび形状の軸穴４は、嵌合取付部１０の前端１１から軸受基部９の後端１２にかけて貫通するように形成されている。軸穴４は、軸線方向及び軸線方向と直交する方向における断面において、その断面積は一定である。内周面５のうち、角面６に丸みをつけられている。丸みの程度は適宜設定されるが、実質的に回転軸２１の支持に影響の無い範囲が好ましい。したがって、軸穴４の軸方向と直交する方向における内周面５の断面について、正三角形とする場合よりもその断面積は減少するのである。
【００１３】
この三角穴軸受１は、正逆転可能なステッピングモータ２０を有するパチンコ遊技機の球払出装置２２に取り付けられるものである。図４に示す通り、球払出装置２２に設けられるステッピングモータ２０の回転軸２１と三角穴軸受１の軸穴４とを嵌着し、三角穴軸受１の嵌合取付部１０と球受部材２８の軸筒２８ａ（図５参照）とを嵌着することで、ステッピングモータ２０の正逆回転に伴って球受部材２８を駆動させることができる。
【００１４】
次に図５を参照して、三角穴軸受１を取り付けた払出装置２２について説明する。図５（ａ）は球払出装置２２の外観斜視図であり、図５（ｂ）はその分解斜視図である。球払出装置２２は箱枠状のケースからなり、このケースは右枠体２３ａと左枠体２３ｂ及びその間に介在する中枠体２３ｃとにより三分割して形成される。そして、左枠体２３ｂの対角線に位置する隅角部に連結突起２４，２４を突設し、これらの各連結突起２４にねじ孔を穿設している。また、右枠体２３ａと中枠体２３ｃには前記連結突起２４を嵌挿させる通孔２５が開設され、これらの通孔２５に連結突起２４を嵌合させて三者を一体に合体し、ビスをねじ孔に螺締することにより内部に屈曲した２条の供給通路２６ａ，２６ｂが形成される。
【００１５】
前記各供給通路２６ａ，２６ｂは、終端にほぼ円筒状の球寄通路２７が設けられ、球寄通路２７内に両供給通路２６ａ，２６ｂに臨むようにして球受部材２８が直交状に軸支される。即ち、球受部材２８は一側端に穿設した軸孔に左枠体２３ｂの内側面に突設した突起２９を嵌入させ、他側には三角穴軸受１を介してステッピングモータ２０の回転軸２１が取り付けられる。球受部材２８は球寄通路２７内に収容し得る円筒状に形成され、外周面に１個のパチンコ球を受け入れる球受溝３０が計８個それぞれ軸心に対し平行をなしかつ等間隔に列設される。さらに、各球受溝３０の左または右の側端にそれぞれ前記供給通路２６ａ，２６ｂから球受溝３０に受け入れられる賞球を一旦受け止める球止片３１が交互に立設されている。
【００１６】
前記球寄通路２７の内側壁に球受部材２８の両側縁と対向させて、両供給通路２６ａ，２６ｂから球受部材２８の球受溝３０に受け入れられた賞球を１個ずつ両供給通路２６ａ，２６ｂの中間位置へ寄せている。球寄通路２７の下端には排出通路３２ａ，３２ｂが設けられ、夫々両供給通路２６ａ，２６ｂと連通している。排出通路３２ａ，３２ｂは、１個の賞球が流下し得る幅を有しており、その下端は球通路に接続され、パチンコ遊技機前面の上皿又は下皿に賞球を払出す。
【００１７】
ステッピングモータ２０は球受部材２８を回転駆動させるものであり、前記右枠体２３ａの外側面に設けられたねじ孔３３と、ステッピングモータ２０の外周に設けられた取付片の通孔３４とを一致させ、両通孔（奥側は図示なし）３４，３４を介して両ねじ孔３３，３３にビスを螺合することにより右枠体２３ａに取り付けられる。ステッピングモータ２０の回転軸２１は、右枠体２３ａに開設された透孔３５を介して三角穴軸受１の軸穴４に嵌着し、さらに三角穴軸受１を介して球受部材２８の軸筒２８ａに嵌合取付部１０とを嵌着している。
【００１８】
また、球検出器３６ａ，３６ｂは前記排出通路３２ａ，３２ｂから排出される賞球を検出するものであり、右枠体２３ａ側に検出器３６ａ、左枠体２３ｂ側に検出器３６ｂが夫々排出通路３２ａ，３２ｂの出口付近に設けられている。そして賞球が検出部分３７ａ，３７ｂを通過したとき、賞球の個数がカウントされるようになっている。
【００１９】
次に、本実施形態の三角穴軸受１の動作及び効果について説明する。三角穴軸受１はパチンコ遊技機の球払出装置２２に取り付けて使用されるものであり、図４に示すように、ステッピングモータ２０の回転軸２１を三角穴軸受１の軸穴４に固定する。さらに、嵌合取付部１０にパチンコ球の球受部材２８を取り付ける。このように組み立てた後、パチンコ遊技機の球払出装置２２を作動させると、三角穴軸受１は概ね正三角形を成す軸穴４の三辺の中点にある３箇所の接触面８で回転軸２１を点保持状態（断面視では３点支持になる）で正逆方向に回転されることになる。この際に三角穴軸受１に加わる応力は軸穴４の接触面８から内周面６に逃がすことができる。これにより、三角穴軸受１に加わる応力は、従来の軸受に比べて大幅に削減され、経年変化に極めて強い耐久性に優れた軸受が実施可能になった。また、三角穴軸受１はステッピングモータ２０の回転軸２１に点保持されていることで、従来の軸受に劣らぬ正確性が得られる。このとき正確性とは、三角穴軸受１に差しこまれる回転軸２１の位置の正確性である。
【００２０】
なお、本発明は、上述の実施の形態に限定されるものではなく、本発明の技術的思想を逸脱しない範囲に於て、改変等を加えることが出来るものであり、それらの改変、均等物等も本発明の技術的範囲に含まれることとなる。
【図面の簡単な説明】
【図１】本発明の実施形態における三角穴軸受１の正面図である。
【図２】同三角穴軸受１の側面図である。
【図３】同三角穴軸受１の斜視図である。
【図４】同三角穴軸受１を払出し装置２２に適用したときの正面説明図である。
【図５】同三角穴軸受１を取付けた払出装置２２の外観斜視図（ａ）及び分解図（ｂ）である。
【符号の説明】
１…三角穴軸受                ２…軸受本体部
４…軸穴                      ５…内周面
６…角面      ７…内周面      ８…接触面
１０…軸受嵌合部              １１…前端
１２…後端                    ２０…ステッピングモータ
２１…回転軸                  ２２…払出装置
２３ａ…右枠体                ２３ｂ…左枠体
２３ｃ…中枠体                ２４…連結突起
２５…（連結突起用）通孔      ２６ａ，ｂ…供給通路
２７…球寄通路                ２８…球受部材
２８ａ…軸筒                  ２９…突起
３０…球受溝                  ３１…球止片
３２ａ，ｂ…排出通路          ３３…（右枠体の）ねじ孔
３４…（取付片の）通孔        ３５…（右枠体の）透孔
３６ａ，ｂ…球検出器          ３７ａ，ｂ…検出部分
【図１】
2004242915.tif 000003
【図２】
2004242915.tif 000004
【図３】
2004242915.tif 000005
【図４】
2004242915.tif 000006
【図５】
2004242915.tif 000007